(57)【特許請求の範囲】
【請求項１】
カメラ付きドアホン子器と、モニタテレビ付きインターホン親機とを組み合わせて構成されたテレビインターホンシステムにおいて、
上記カメラ付きドアホン子器には人感センサを設け、ドアホン子器の前方を含む近傍箇所に、所定時間、人が存在したときには、上記モニタテレビ付きインターホン親機に、通常の呼出操作時に送信される呼出信号とは異なるアラーム信号の形で出力した通報を行い、上記モニタテレビ付きインターホン親機より通常の呼出音とは異なる警報音を出力させるとともに、カメラ付きドアホン子器において、通常のバックトーンとは異なるバックトーンを出力するようにしているテレビインターホンシステム。
【請求項２】
請求項１において、
上記ドアホン子器の人感センサが、超音波センサであるテレビインターホンシステム。
【請求項３】
請求項１又は請求項２において、
上記インターホン親機には、ドアホン子器からの呼出信号あるいはアラーム信号に応じて点灯あるいは点滅する警報ランプが設けられているテレビインターホンシステム。
【請求項４】
請求項３において、
上記インターホン親機の警報ランプが、フラッシュランプであるテレビインターホンシステム。
【請求項５】
請求項１〜請求項４のいずれかにおいて、
上記インターホン親機は、ドアホン子器からの呼出信号あるいはアラーム信号を受けたときに、注意を喚起させる音声メッセージを出力させる構成としているテレビインターホンシステム。
【請求項６】
請求項１〜請求項５のいずれかにおいて、
上記インターホン親機には、人感センサによる通報を設定する外部警告設定スイッチを設けているテレビインターホンシステム。
【請求項７】
請求項１〜請求項６のいずれかにおいて、
上記インターホン親機とドアホン子器は、制御線、通話線、映像線、電源線で接続されて構成されているテレビインターホンシステム。
【発明の詳細な説明】
【０００１】
【発明の属する技術分野】
【０００２】
本発明は、テレビインターホンシステムの改良に関する。
【従来の技術】
【０００３】
この種のテレビインターホンシステムは、玄関先にカメラ付きドアホン子器を設置する一方、室内にはモニタテレビ付きインターホン親機を設置し、これらを信号線で接続した構成になっており、来訪者等がドアホン子器の呼出釦を操作すると、室内に設置したインターホン親機が呼び出され、モニタテレビに来訪者の姿が映し出されて、これに対して住居者が応答すると、住居者は来訪者の顔を見ながら通話が出来るようになっている。
【０００４】
また、このようなインターホン親機には、モニタ機能が備わっており、モニタ釦を操作すると、ドアホン子器からの呼出がなくても、カメラを駆動してモニタテレビに周囲の状況を映し出して監視できるようになっている。
【０００５】
しかしながら、このようなモニタ機能は、住居者がモニタ釦を操作する必要があるため、玄関先に不審者や泥棒がいても、住居内に侵入して来なければ、その存在を確認することは出来ず、住居内に侵入するまでの段階で検知することが出来なかった。
【０００６】
そこで、このような不審者や泥棒などの侵入を防ぐために、通常は、監視カメラを設置したりしているが、このような防犯システムは、テレビインターホンシステムとは別のシステム構成になっており、監視用テレビやその他の設備機器を必要とするため、システムも大掛かりとなり、配線も複雑化するため、一般の住戸に設置することはコスト的にも無理があった。
【発明が解決しようとする課題】
【０００７】
本発明は、上記事情に鑑みて提案されたものであり、テレビインターホンシステムの構成機器であるドアホン子器と、インターホン親機とを有効に利用することによって、簡易な防犯監視機能を備えた新規な構成のテレビインターホンシステムを提供することを目的としている。
【課題を解決するための手段】
【０００８】
本発明は、上記目的を達成するために提案されたものであって、請求項１は、カメラ付きドアホン子器には人感センサを設け、ドアホン子器の前方を含む近傍箇所に、所定時間、人が存在したときには、モニタテレビ付きインターホン親機に通報を行い、ドアホン子器からインターホン親機への通報が、ドアホン子器の通常の呼出操作時にインターホン親機に送信される呼出信号とは異なるアラーム信号の形で出力されるようにしている。インターホン親機では、アラーム信号を検出し、呼出音とは異なる警報音を出力されるので、住居者は、外部に不審者がいることがすぐに判別できる。
【０００９】
またドアホン子器からインターホン親機になされる通報時には、モニタテレビ付きインターホン親機より通常の呼出音とは異なる警報音を出力させるとともに、カメラ付きドアホン子器において、通常のバックトーンとは異なるバックトーンを出力するようにしている。
【００１０】
請求項２では、請求項１において、ドアホン子器の人感センサが超音波センサである。
【００１１】
請求項３では、請求項１または請求項２において、インターホン親機には、ドアホン子器からの呼出信号あるいはアラーム信号に応じて点灯あるいは点滅する警報ランプが設けられている。また、請求項４では、この警報ランプがフラッシュランプである。
【００１２】
請求項５では、請求項１〜４のいずれかにおいて、インターホン親機は、ドアホン子器からの呼出信号あるいはアラーム信号を受けたときに、注意を喚起させる音声メッセージを出力させる構成としている。
【００１３】
請求項６では、請求項１〜５のいずれかにおいて、インターホン親機には、人感センサによる通報を設定する外部警告設定スイッチを設けている。
【００１４】
請求項７では、請求項１〜６のいずれかにおいて、インターホン親機とドアホン子器は、制御線、通話線、映像線、電源線で接続されて構成されている。
【発明の実施の形態】
【００１５】
以下に、本発明の実施の形態を図面とともに説明する。
【００１６】
図１は本発明に係るテレビインターホンシステムの構成の一例を示したブロック図、図２はテレビインターホンシステムの外観図、図３はテレビインターホンシステムにおける回線端の信号スペクトラムである。
【００１７】
図２に示すように、このテレビインターホンシステムは、室内に設置されたモニタテレビ付きインターホン親機Ａと、玄関先に設置されたカメラ付きドアホン子器Ｂとを、２線式信号線Ｌによって接続した構成になっている。
【００１８】
図２（ａ）には、ハンズフリータイプのインターホン親機Ａを備えたシステムを示しており、このインターホン親機Ａでは、ドアホン子器Ｂの呼出釦ｂが操作されたときに、この呼出に対し、子器Ｂ側のカメラ６０の電源を立ち上げ、モニタテレビ２１に外部の映像を映し出し、通話釦ｂ１を操作をすれば、以降、マイクＭＩ１に向かって話しかけるだけで通話が出来るようになっている。なお、図中のｌは通話中であることを点灯などによって表す通話ランプ、ｂ２は子器Ｂ側の映像、音声をモニタするために操作するモニタ釦である。
【００１９】
一方の（ｂ）には、ハンドセットＨを有したタイプのインターホン親機Ａの一例として、インターホン機能付き住宅情報盤を備えたシステムを示している。住宅情報盤では、火災センサによる室内の火災監視などを行うとともに、ドアホン子器Ｂの呼出釦ｂが操作されると、カメラ６０の電源を立ち上げ、モニタテレビユニット２０にドアホン子器Ｂの周辺映像を映すとともに、スピーカＳＰからチャイム音を鳴動させ、この呼出に対し、ハンドセットＨを持ち上げたときには、ドアホン子器Ｂ側との通話を可能にしている。
【００２０】
すなわち、このような２線式のインターホンシステムは、配線構造を簡易化するために使用されており、図３に示すように、２線式信号線Ｌに、通話のために通話信号で変調（ＦＭ変調）されたキャリアｆ１，ｆ２、カメラ６０からの映像信号、スピーカＳＰ２、マイクＭＩ２、カメラ６０を駆動するための直流電源を重畳させた信号を伝送させ、呼出があった後、映像を見ながらの通話、モニタ監視ができるようになっている。
【００２１】
図３の（ａ）は通話中、（ｂ）はモニタ中での信号スペクトラムである。ここでは、映像信号をベースバンド信号で、通話信号（音声信号）をＦＭ変調して多重伝送しており、インターホン親機Ａからドアホン子器Ｂへの通話信号で第１のキャリアｆ１（例えば、６．５ＭＨｚ）を変調し、ドアホン子器Ｂからインターホン親機Ａの通話信号で第２のキャリアｆ２（例えば、５．５ＭＨｚ）を変調し、両者のＦＭ搬送波周波数を異ならせて、ドアホン子器Ｂとインターホン親機Ａ間の双方向の同時通話を可能としている。これに対して、モニタ中は、インターホン親機Ａ側では、第１のキャリアｆ１の出力を停止し、ドアホン子器Ｂ側でこれを検出することによって、スピーカＳＰ２の動作を停止し、ポップノイズが発生しないようにしている。
【００２２】
つまり、通話モード時は、２線式信号線Ｌを通じて、インターホン親機Ａからドアホン子器Ｂへは、通話のための電源とカメラ電源が供給され、インターホン親機Ａとドアホン子器Ｂとは、異なるキャリアｆ１，ｆ２で変調された通話信号が送受信され、また、ドアホン子器Ｂからインターホン親機Ａへは映像信号が送出される。
【００２３】
本発明では、上記の機能に加えて、ドアホン子器Ｂに人感センサＳを設けており、ドアホン子器Ｂの前方を含む近傍箇所に、所定時間、人が存在したときには、インターホン親機Ａにこのことを通報する。このとき、後述するように、通報を受けた親機Ａ側において、自動的にモニタ機能を作動させることができる。
【００２４】
このような各機能を実現するため、図１のに示すインターホン親機Ａには、通話回路１０と、モニタ回路２０と、通話信号と映像信号とを多重化し送受する多重化回路３０と、各部の処理制御を行う信号処理部（ＣＰＵ）３１と、ドアホン子器Ｂに駆動電源（カメラ電源と通話のための電源）を供給する直流電源供給回路３２と、ドアホン子器Ｂからの呼出を検知したときに、チャイム音や音声メッセージを発生させる音発生回路３３及びスピーカＳＰと、通話釦ｂ１及びモニタ釦ｂ２と、ＬＥＤ等で構成された通話ランプｌ及び警報ランプｌ１と、外部警告設定スイッチｓｗとを設けている。ここに、警報ランプｌ１は、後述するようにフラッシュランプで構成してもよい。
【００２５】
また、通話回路１０には、通話のためのマイクＭＩ１と、マイクＭＩ１によって入力された音声で変調される親機側のキャリアｆ１を出力するための発振・変調回路１１と、ミュート回路１２と、ドアホン子器Ｂからの音声を出力するスピーカＳＰ１と、復調回路１３と、スピーカアンプ１４と、ドアホン子器Ｂからの音声で変調された子器側のキャリアｆ２を選択し取り出すＢＰＦ１５とを備えており、モニタ回路２０には、モニタテレビ２１と、表示部駆動回路２２とを備えている。
【００２６】
一方のドアホン子器Ｂには、通常の通話あるいはモニタモードと、外部警告モードとを判別する判別回路と、各部を制御する制御回路とを構成する判別・制御回路４０と、２線式信号線Ｌを介して供給されるインターホン親機Ａからの電源を、各部に供給する電源回路４１と、音発生回路４２と、通話回路５０と、カメラ回路６０と、多重化回路７０と、呼出釦ｂと、人感センサの１つである超音波センサＳを設けている。なお、音発生回路４２には、後述するように、不審者を検知したことの通報時に、音声メッセージを出力するようにしてもよい。
【００２７】
通話回路５０には、インターホン親機Ａからの音声を出力するスピーカＳＰ２と、復調回路５１と、スピーカアンプ５２と、インターホン親機Ａからの音声で変調された親機側のキャリアｆ１を選択し取り出すためのＢＰＦ５３と、モニタ時には玄関先の音を集音し、通話時には来訪者の音声が入力されるマイクＭＩ２と、子器側のキャリアｆ２を出力し、マイクＭＩ２より入力された音声で子器側のキャリアｆ２を変調した変調信号を出力する発振・変調回路５４と、ミュート回路５５とを備える。また、カメラ回路６０には、ＣＣＤカメラ６１と、映像信号処理回路６２とを備えている。
【００２８】
以下に、このテレビインターホンシステムの基本動作について説明する。
【００２９】
待機時には、通話信号がなく、２線式信号線Ｌには、待機時の電圧レベル（６Ｖ）に親機側のキャリアｆ１及び子器側のキャリアｆ２が重畳されており、ドアホン子器Ｂでは、通電表示灯（不図示）が点灯している。このとき、インターホン親機Ａからドアホン子器Ｂには駆動電源が供給されないため、スピーカＳＰ２はオフ状態になっている。
【００３０】
この状態で、ドアホン子器Ｂの呼出釦ｂが操作されると、待機時の電圧レベルが急激に低下するので、この状態をインターホン親機Ａの呼出検出回路（不図示）が検出し、信号処理部３１が音発生回路３３を作動させてチャイムを鳴動させた後、直流電源供給回路３２から多重化回路３０を通じて２線式信号線Ｌに対して電源を供給する。これによって、ドアホン子器Ｂのカメラ回路６０、通話回路５０が駆動し、カメラ６１で撮影した映像をインターホン親機Ａのモニタテレビ２１に映し出すとともに、互いのスピーカＳＰ１，ＳＰ２、マイクＭＩ１，ＭＩ２を使用した通話を可能にする。
【００３１】
すなわち、この通話モードの実行時には、インターホン親機Ａは、カメラ電源（１４．５Ｖ）を立ち上げるとともに、親機側のキャリアｆ１を送出しており、ドアホン子器Ｂの判別・制御回路４０では、電源回路４１を介したカメラ電源の立ち上げと、キャリアｆ１の検出によって、通話モードと判別し、スピーカアンプ５２に電源を供給してスピーカＳＰ２を駆動し、また、ミュート回路５５によるミュート動作を解除してマイクＭＩ２を駆動するとともに、カメラ６１によって撮像された映像信号をインターホン親機Ａ側に送出する。
【００３２】
インターホン親機Ａからの音声は、マイクＭＩ１から入力され、発振・変調回路１１によって親機側のキャリアｆ１を変調した信号として出力される。これを受けたドアホン子器Ｂでは、復調回路５１で復調し、スピーカＳＰ２を通じて出力する。一方、ドアホン子器Ｂからの音声は、マイクＭＩ２から入力され、発振・変調回路５４によって子器側のキャリアｆ２を変調した信号として出力する。これを受けたインターホン親機Ａでは、復調回路１３で復調し、スピーカＳＰ１を通じて出力する。
【００３３】
次に、外部警告設定スイッチｓｗの操作によって、外部警告モードに設定されているときの動作について説明する。外部警告モードは、制御信号の送出によって、ドアホン子器Ｂに設定され、超音波センサＳを作動させている。超音波センサＳは、所定周期で超音波パルスを出力し、その反射波の有無や変化によって、人の存在を検知している。つまり、人がいないときの反射波の到達時間を記憶しておき、この到達時間と出力した超音波パルスに対して検知した反射波の到達時間との違いから人の存在を検知している。
【００３４】
ドアホン子器Ｂの超音波センサＳが、ドアホン子器Ｂの前方を含む近傍箇所に、所定時間（例えば１分間）、人が存在することを検知したときには、インターホン親機Ａに、通常の呼出操作時に送信する呼出信号の形で通報を行う。これによれば、従来と比べ、両者のインターフェースに変更はないので、インターホン親機Ａ側では、新たな構成を加える必要がなく、呼出信号を検出したときは、呼出音を鳴動させ、モニタテレビ２１に外部の映像を映し出す。そして、通話釦ｂ１を操作すれば、外部の人に話しかけるなどの対処をとることができる。
【００３５】
また、ドアホン子器Ｂからインターホン親機Ａになされる通報時には、ドアホン子器Ｂの音発生回路４２からバックトーンを出力することができる、これによれば、ドアホン子器Ｂ側では、何等操作しないのに音が出力されるので、不審者に対し威嚇ができる。
【００３６】
上記の動作を、図４に２線式信号線Ｌの回線電圧の変化で示す。この変化は通常の呼出時と同じであり、超音波センサＳが、所定時間の間、人の存在を検知し続けると、待機時の電圧レベルを低下させることで通知を行い（（１）→（２））、その後、電源を供給して、モニタ動作に移行する（（２）→（３））。なお、本発明では、呼出信号は、電圧レベルを待機時よりも低下させて出力する方式には限定されず、キャリアｆ１，ｆ２とは異なる周波数のトーン信号を変調して呼出信号として出力する方式を採用してもよい。
【００３７】
また、図５には、上記ドアホン子器Ｂ側の動作をフローチャートで示している。超音波センサＳによって物体の存在を検知すると、タイマ回路（不図示）をスタートさせ、それからタイムアップするまでの所定の時間の間、その存在を判別し続ければ、人が横切っただけではなく、立ち止まっていると判断して、呼出信号を出力し、バックトーンを鳴動させる（以上、ステップ１００〜１０４）。
【００３８】
また、ドアホン子器Ｂの超音波センサＳが、ドアホン子器Ｂの前方を含む近傍箇所に、所定時間、人が存在することを検知したときには、インターホン親機Ａに、通常の呼出操作時に送信される呼出信号とは異なるアラーム信号の形で通知することもできる。
【００３９】
この場合の２線式信号線Ｌの回線電圧の変化の例を図６に示す。超音波センサＳが、所定時間の間、人の存在を検知し続けると、待機時の電圧レベルを、呼出釦ｂの押下時（４）よりも更に低い電圧レベルにまで低下させることで通知を行い（（１）→（２））、その後、電源を供給して、モニタ動作に移行する（（２）→（３））。なお、アラーム信号の構成はこのような方式には限定されず、特定の制御信号を出力する方式を採用してもよい。
【００４０】
このようにすれば、インターホン親機Ａでは、アラーム信号を検出したときに、呼出音とは異なる警報音を出力して、外部に不審者がいることを報知することができる。また、このとき、ドアホン子器Ｂにおいて、通常とは異なるバックトーンを出力すれば、不審者に対する威嚇効果が高まる。逆に、外部の人に気づかせないため、バックトーンを出力しないようにしてもよい。このようなバックトーンの出力有無の設定は、インターホン親機Ａの外部警告設定スイッチｓｗの設定に含めることができる。
【００４１】
なお、インターホン親機Ａには、ドアホン子器Ｂからの呼出信号あるいはアラーム信号に応じて動作する警報ランプｌ１が設けられているので、これを点灯あるいは点滅させることによって、外部に不審者が居ることを、視覚的に知らせることができる。また、この警報ランプｌ１をフラッシュランプで構成するようにすれば、更に注意が喚起でき、騒音がある場所や、耳の不自由な人にも不審者の存在が分かりやすくなる。
【００４２】
更に、インターホン親機Ａでは、ドアホン子器Ｂからの呼出信号あるいはアラーム信号を受けたときに、音発生回路３３から注意を喚起させる、例えば、「玄関口に訪問者がいます」といった音声メッセージを出力させることもできる。呼出信号ではなくアラーム信号を受けた場合は、「玄関口に不審者がいます」といった音声メッセージにしてもよい。
【００４３】
また、ドアホン子器Ｂの前方の人を検知する人感センサは、超音波センサＳには限定されず、赤外線センサでもよく、赤外線センサが、所定の範囲内に人が侵入したままであり、移動がないことを検知すれば、インターホン親機Ａに通報を行うようにしてもよい。
【００４４】
以上には、２線式インターホンシステムについて説明したが、インターホン親機Ａとドアホン子器Ｂとを、制御線、通話線、映像線、電源線などの複数で接続するシステムであってもよい。この場合でも、ドアホン子器Ｂの人感センサが所定時間の間、人の存在を検知し続ければ、制御線を通じ、電圧を低下させたり、特定の制御信号等で、呼出信号やアラーム信号をインターホン親機Ａに送出することによって、不審者等の存在を通知する。
【発明の効果】
【００４５】
以上説明したように、請求項１のテレビインターホンシステムでは、ドアホン子器の近傍箇所に、所定時間、人が存在したときには、インターホン親機に自動的に通報を行うので、住居者がモニタ釦を操作しなくても、住居内に侵入するまでの段階で不審者等を検知することができる。すなわち、従来のインターホンシステムに対し、簡易に防犯監視機能を組み込むことができる。
【００４６】
また請求項１では、ドアホン子器からインターホン親機に、呼出信号とは異なるアラーム信号の形で通報されるので、インターホン親機は、呼出音とは異なる警報音を出力されるので、住居者へ外部に不審者がいることを報知できる。
【００４７】
さらに請求項１では、ドアホン子器からインターホン親機への通報時に、ドアホン子器において通常のバックトーンとは異なるバックトーンを出力するので、不審者に対して威嚇ができる。
【００４８】
請求項２では、ドアホン子器に超音波センサを備える簡易な構成で、防犯監視機能を果たすことが出来る。
【００４９】
請求項３では、インターホン親機は、ドアホン子器からの通報に応じて警報ランプが点灯あるいは点滅するので、不審者などが居ることが視覚的に分かる。また、請求項４では、この警報ランプがフラッシュランプで構成されるので、より一層注意を喚起できる。
【００５０】
請求項５では、インターホン親機は、ドアホン子器からの通報に応じて音声メッセージを出力するので、不審者等が居ることがすぐに分かる。
【００５１】
請求項６では、インターホン親機に、人感センサによる通報を設定する外部警告設定スイッチを設けているので、必要なときのみ、外部警報機能を設定することができる。
【００５２】
請求項７では、多重線式のインターホンシステムについても、簡易に防犯監視機能を組み込んだシステム構成にできる。
【図面の簡単な説明】
【図１】本発明に係るテレビインターホンシステムの基本構成を示すブロック図である。
【図２】本発明に係るテレビインターホンシステムの外観図である。
【図３】本発明に係るテレビインターホンシステムにおける回線端の信号スペクトラムである。
【図４】２線式信号線の回線電圧の変化の例を示す図である。
【図５】ドアホン子器の動作を示すフローチャートである。
【図６】２線式信号線の回線電圧の変化の別の例を示す図である。
【符号の説明】
Ａ・・・インターホン親機
１０・・・通話回路
２０・・・モニタ回路
２１・・・モニタテレビ
３０・・・多重化回路
３１・・・信号処理部
３３・・・音発生回路
ｓｗ・・・外部警告設定スイッチ
ｌ１・・・警報ランプ
Ｂ・・・ドアホン子器
４０・・・判別・制御回路
４２・・・音発生回路
５０・・・通話回路
６０・・・カメラ回路
７０・・・多重化回路
ｂ・・・呼出釦
Ｓ・・・超音波センサ
Ｌ・・・２線式信号線
【図１】
0003582305.tif 000002
【図２】
0003582305.tif 000003
【図３】
0003582305.tif 000004
【図４】
0003582305.tif 000005
【図５】
0003582305.tif 000006
【図６】
0003582305.tif 000007